(57)【要約】【課題】  携帯式電子装置に応用される表示フレーム拡大方法の提供。【解決手段】  （Ａ）オリジナル画像を表示するステップ、（Ｂ）フレーム拡大モードに切り換えるか判断するステップ、（Ｃ）フレーム拡大倍率を選択するステップ、（Ｄ）フレーム拡大倍率によりオリジナル画像に対してフレーム拡大の処理を行ない、これにより拡大後画像を発生するステップ、（Ｅ）表示フレームサイズに対応する拡大後画像を表示し、並びに制御信号により表示フレームが表示する拡大後画像を改変するステップ、を具えている。【選択図】        図１
2006189746.tif 000002
【特許請求の範囲】
【請求項１】
携帯式電子装置に応用される表示フレーム拡大方法において、
（Ａ）オリジナル画像を表示するステップ、
（Ｂ）フレーム拡大モードに切り換えるか判断するステップ、
（Ｃ）フレーム拡大倍率を選択するステップ、
（Ｄ）フレーム拡大倍率によりオリジナル画像に対してフレーム拡大の処理を行ない、これにより拡大後画像を発生するステップ、
（Ｅ）表示フレームサイズに対応する拡大後画像を表示し、並びに制御信号により表示フレームが表示する拡大後画像を改変するステップ、
を具えたことを特徴とする、表示フレーム拡大方法。
【請求項２】
請求項１記載の表示フレーム拡大方法において、オリジナル画像がデジタルイメージとされたことを特徴とする、表示フレーム拡大方法。
【請求項３】
請求項１記載の表示フレーム拡大方法において、オリジナル画像がデジタル動態画像とされたことを特徴とする、表示フレーム拡大方法。
【請求項４】
請求項１記載の表示フレーム拡大方法において、オリジナル画像がデジタル文書ファイルとされたことを特徴とする、表示フレーム拡大方法。
【請求項５】
請求項１記載の表示フレーム拡大方法において、携帯式電子装置がマルチメディアプレイヤーとされたことを特徴とする、表示フレーム拡大方法。
【請求項６】
請求項１記載の表示フレーム拡大方法において、携帯式電子装置がＭＰ３プレイヤーとされたことを特徴とする、表示フレーム拡大方法。
【請求項７】
請求項１記載の表示フレーム拡大方法において、携帯式電子装置がＰＤＡとされたことを特徴とする、表示フレーム拡大方法。
【請求項８】
請求項１記載の表示フレーム拡大方法において、制御信号が携帯式電子装置のキーにより提供されることを特徴とする、表示フレーム拡大方法。
【請求項９】
携帯式電子装置に応用される表示フレーム拡大方法において、
（Ａ）オリジナル画像を画像縮小処理して縮小後画像を取得するステップ、
（Ｂ）縮小後画像を表示するステップ、
（Ｃ）フレーム拡大モードに切り換えるかを判断するステップ、
（Ｄ）フレーム拡大倍率を選択するステップ、
（Ｅ）フレーム拡大倍率によりオリジナル画像に対して画像処理を行ない拡大後画像を発生するステップ、
（Ｆ）該表示フレームサイズに対応する拡大後画像を表示し、並びに制御信号により表示フレームが表示する拡大後画像を改変するステップ、
を具えたことを特徴とする、表示フレーム拡大方法。
【請求項１０】
請求項９記載の表示フレーム拡大方法において、オリジナル画像がデジタルイメージとされたことを特徴とする、表示フレーム拡大方法。
【請求項１１】
請求項９記載の表示フレーム拡大方法において、オリジナル画像がデジタル動態画像とされたことを特徴とする、表示フレーム拡大方法。
【請求項１２】
請求項９記載の表示フレーム拡大方法において、オリジナル画像がデジタル文書ファイルとされたことを特徴とする、表示フレーム拡大方法。
【請求項１３】
請求項９記載の表示フレーム拡大方法において、携帯式電子装置がマルチメディアプレイヤーとされたことを特徴とする、表示フレーム拡大方法。
【請求項１４】
請求項９記載の表示フレーム拡大方法において、携帯式電子装置がＭＰ３プレイヤーとされたことを特徴とする、表示フレーム拡大方法。
【請求項１５】
請求項９記載の表示フレーム拡大方法において、携帯式電子装置がＰＤＡとされたことを特徴とする、表示フレーム拡大方法。
【請求項１６】
請求項１記載の表示フレーム拡大方法において、制御信号が携帯式電子装置のキーにより提供されることを特徴とする、表示フレーム拡大方法。
【発明の詳細な説明】
【技術分野】
【０００１】
本発明は一種の表示フレーム拡大の方法に係り、特に、携帯式電子装置に応用される表示フレーム拡大方法に関する。
【背景技術】
【０００２】
ＰＤＡは携帯式電子装置であり、使用者のメモ、文書処理、及びマルチメディア再生の要求を満足させる。しかし、ＰＤＡスクリーンサイズのため、ＰＤＡでデジタル文書ファイル（例えばＴＸＴのデジタル文書ファイル）、デジタル画像ファイル（例えばＪＰＧ或いはＢＭＰのデジタル画像ファイル）、或いはデジタル映像ファイル（例えばＭＰＥＧ或いはＡＶＩのデジタル映像ファイル）を閲覧する時、表示の状態の不良により閲覧が容易でなくなり、時には認識できなくなることがあり、このことは携帯式電子装置の便利性に大きな打撃を与える。
【０００３】
上述の欠点に対して、表示フレーム拡大の方法を提出し、この方法により携帯式電子装置のキーを利用して拡大と移動の機能を達成できるようにし、強大なマルチメディア携帯型製品となし、表示スクリーンサイズを変動せずに、小サイズスクリーンの閲覧性を増すことが望まれる。
【発明の開示】
【発明が解決しようとする課題】
【０００４】
伝統的なスクリーンサイズが小さ過ぎることにより、閲覧不能となる欠点を解決するため、本発明は表示フレーム拡大の方法を提供する。それは、携帯式電子装置に応用され、（Ａ）オリジナル画像を表示するステップ、（Ｂ）フレーム拡大モードに切り換えるか判断するステップ、（Ｃ）フレーム拡大倍率を選択するステップ、（Ｄ）フレーム拡大倍率によりオリジナル画像に対してフレーム拡大の処理を行ない、これにより拡大後画像を発生するステップ、（Ｅ）表示フレームサイズに対応する拡大後画像を表示し、並びに制御信号により表示フレームが表示する拡大後画像を改変するステップ、を具えている。
【０００５】
一般のイメージはいずれも携帯式電子装置の表示フレームの範囲を超越し、このため前述の方法によると、一般モードからフレーム拡大モードに切り換え、並びに制御信号により表示フレームが表示される拡大後画像を改変することで、非常に容易に小サイズスクリーンの閲覧性を増すことができる。
【０００６】
携帯式電子装置はＰＤＡ、多機能携帯電話、携帯電話、或いはノートブック型コンピュータ等とされ得て、オリジナル画像はデジタルイメージ、デジタル動態画像、及びデジタル文書ファイルとされうる。さらにフレーム縮小拡大の方法の制御信号は携帯式電子装置のキーにより提供される。
【課題を解決するための手段】
【０００７】
請求項１の発明は、携帯式電子装置に応用される表示フレーム拡大方法において、
（Ａ）オリジナル画像を表示するステップ、
（Ｂ）フレーム拡大モードに切り換えるか判断するステップ、
（Ｃ）フレーム拡大倍率を選択するステップ、
（Ｄ）フレーム拡大倍率によりオリジナル画像に対してフレーム拡大の処理を行ない、これにより拡大後画像を発生するステップ、
（Ｅ）表示フレームサイズに対応する拡大後画像を表示し、並びに制御信号により表示フレームが表示する拡大後画像を改変するステップ、
を具えたことを特徴とする、表示フレーム拡大方法としている。
請求項２の発明は、請求項１記載の表示フレーム拡大方法において、オリジナル画像がデジタルイメージとされたことを特徴とする、表示フレーム拡大方法としている。
請求項３の発明は、請求項１記載の表示フレーム拡大方法において、オリジナル画像がデジタル動態画像とされたことを特徴とする、表示フレーム拡大方法としている。
請求項４の発明は、請求項１記載の表示フレーム拡大方法において、オリジナル画像がデジタル文書ファイルとされたことを特徴とする、表示フレーム拡大方法としている。
請求項５の発明は、請求項１記載の表示フレーム拡大方法において、携帯式電子装置がマルチメディアプレイヤーとされたことを特徴とする、表示フレーム拡大方法としている。
請求項６の発明は、請求項１記載の表示フレーム拡大方法において、携帯式電子装置がＭＰ３プレイヤーとされたことを特徴とする、表示フレーム拡大方法としている。
請求項７の発明は、請求項１記載の表示フレーム拡大方法において、携帯式電子装置がＰＤＡとされたことを特徴とする、表示フレーム拡大方法としている。
請求項８の発明は、請求項１記載の表示フレーム拡大方法において、制御信号が携帯式電子装置のキーにより提供されることを特徴とする、表示フレーム拡大方法としている。
請求項９の発明は、携帯式電子装置に応用される表示フレーム拡大方法において、
（Ａ）オリジナル画像を画像縮小処理して縮小後画像を取得するステップ、
（Ｂ）縮小後画像を表示するステップ、
（Ｃ）フレーム拡大モードに切り換えるかを判断するステップ、
（Ｄ）フレーム拡大倍率を選択するステップ、
（Ｅ）フレーム拡大倍率によりオリジナル画像に対して画像処理を行ない拡大後画像を発生するステップ、
（Ｆ）該表示フレームサイズに対応する拡大後画像を表示し、並びに制御信号により表示フレームが表示する拡大後画像を改変するステップ、
を具えたことを特徴とする、表示フレーム拡大方法としている。
請求項１０の発明は、請求項９記載の表示フレーム拡大方法において、オリジナル画像がデジタルイメージとされたことを特徴とする、表示フレーム拡大方法としている。
請求項１１の発明は、請求項９記載の表示フレーム拡大方法において、オリジナル画像がデジタル動態画像とされたことを特徴とする、表示フレーム拡大方法としている。
請求項１２の発明は、請求項９記載の表示フレーム拡大方法において、オリジナル画像がデジタル文書ファイルとされたことを特徴とする、表示フレーム拡大方法としている。
請求項１３の発明は、請求項９記載の表示フレーム拡大方法において、携帯式電子装置がマルチメディアプレイヤーとされたことを特徴とする、表示フレーム拡大方法としている。
請求項１４の発明は、請求項９記載の表示フレーム拡大方法において、携帯式電子装置がＭＰ３プレイヤーとされたことを特徴とする、表示フレーム拡大方法としている。
請求項１５の発明は、請求項９記載の表示フレーム拡大方法において、携帯式電子装置がＰＤＡとされたことを特徴とする、表示フレーム拡大方法としている。
請求項１６の発明は、請求項１記載の表示フレーム拡大方法において、制御信号が携帯式電子装置のキーにより提供されることを特徴とする、表示フレーム拡大方法としている。
【発明の効果】
【０００８】
本発明は携帯式電子装置に応用される表示フレーム拡大方法を提供し、それは、（Ａ）オリジナル画像を表示するステップ、（Ｂ）フレーム拡大モードに切り換えるか判断するステップ、（Ｃ）フレーム拡大倍率を選択するステップ、（Ｄ）フレーム拡大倍率によりオリジナル画像に対してフレーム拡大の処理を行ない、これにより拡大後画像を発生するステップ、（Ｅ）表示フレームサイズに対応する拡大後画像を表示し、並びに制御信号により表示フレームが表示する拡大後画像を改変するステップ、を具えている。
【発明を実施するための最良の形態】
【０００９】
第１実施例：
図１、２に示されるように、本発明の表示フレーム拡大の方法は、携帯式電子装置に用いられ、それは以下のステップを包含する。
ステップＳ１：  初期化。
ステップＳ２：  オリジナル画像の表示。このオリジナル画像は携帯式電子装置１０のディスプレイ１１に表示される。図１に示されるように、仮に一般の携帯式電子装置１０のディスプレイ１１のフレーム表示能力が２２０ピクセル×１７６ピクセルであれば、オリジナル画像のサイズは２２０ピクセル×１７６ピクセルとされ、ゆえにディスプレイ１１によりこれが表示される。そのうち、オリジナル画像はイメージ形式の電子イメージ、例えばＧＩＦ、ＪＰＧ、ＢＭＰ、或いは類似の電子イメージとされうる。このほか、オリジナル画像は文書形式、例えば、ＴＸＴ、ＤＯＣ、或いは類似の電子文書とされうる。またオリジナル画像はまた動態画像形式の電子画像とされ得て、例えばＭＰＥＧ１、ＭＰＥＧ２、ＡＶＩ、或いは類似の電子画像とされうる。本実施例では電子イメージを以て説明しているが、これに限定されるものではない。
ステップＳ３：  フレーム拡大モードに切り換えるかを判断する。使用者が機能キー１３を押した後、携帯式電子装置１０の表示フレームは機能メニューにジャンプし、それは倍率選択（Ｚｏｏｍ  ｉｎ）及び退出（Ｅｘｉｔ）の選択項目を包含する。続いて必要な機能により上移動キー１４１及び下移動キー１４２により倍率選択或いは退出の機能を選択する。例えば、使用者が倍率選択の後、更に確認キー／右移動キー１４４を押せば、続いてステップＳ４の動作を実行し、退出の項目を選択し、且つリターンキー／左移動キー１４３を押せば、使用者はフレーム拡大の動作を行なわずステップＳ２のオリジナル画像表示に戻ることを表示する。
ステップＳ４：  フレーム拡大倍率の選択。使用者が倍率選択の項目を選択した後、携帯式電子装置１０の表示フレームは別の機能メニューにジャンプし、その項目は異なるフレーム拡大倍率に対応し、例えば、１倍（即ち２２０ピクセル×１７６ピクセル）、１．５倍（３３０ピクセル×２６４ピクセル）、２倍（４４０ピクセル×３５２ピクセル）、及び２．５倍（５５０ピクセル×４４０ピクセル）に対応し、上述のフレーム拡大倍率の倍率は例に過ぎず、これに制限されるものではない。
ステップＳ５：  フレーム拡大倍率により、オリジナル画像に対して画像拡大処理を行ない、拡大後画像を発生する。図３に示されるように、使用者が２．５倍のフレーム拡大倍率を選択し、更に選択／確認キー１３を押せば、図３のディスプレイ１１はこのオリジナル画像に対して画像拡大処理を行ない、並びに拡大後画像を取得する。この拡大後画像のサイズは５５０ピクセル×４４０ピクセルであり、使用者はその実際の必要により異なるフレーム拡大倍率を選択できる。このほか、画像拡大処理の方法は周知の技術であり、例えばインポーズ法とされ、ゆえに説明は省略する。
ステップＳ６：  表示フレームサイズに対応する拡大後画像を表示し、並びに制御信号により表示フレームが表示する拡大後画像を改変する。拡大後画像のサイズはディスプレイ１１のフレーム表示能力より遥かに大きく、ゆえにディスプレイ１１の表示フレームは拡大後画像の局部画像のみ表示し、好ましくは拡大後画像の中心画像を表示するか、或いは拡大後画像の左上角画像を表示する。その後、使用者は上移動キー１４１、下移動キー１４２、リターンキー／左移動キー１４３、或いは確認キー／右移動キー１４４を押すことで表示フレームの表示する拡大後画像を改変する。そのうち、使用者が上移動キー１４１、下移動キー１４２、リターンキー／左移動キー１４３、或いは確認キー／右移動キー１４４を押す時、携帯式電子装置１０はそれに対応する制御信号を受け取り、並びにこの制御信号により表示フレームの表示する拡大後画像を改変する。図３に示されるように、上述の動作により全体の拡大後画像を閲覧することができる。
【００１０】
第２実施例：
図４は本発明の第２実施例の拡大表示フレームの方法フローチャートである。オリジナル画像のサイズはディスプレイ１１の表示能力より大きい可能性があり、これにより、携帯式電子装置１０がオリジナル画像を表示する前に、このオリジナル画像を縮小処理して縮小後画像を取得する。この縮小後画像のサイズはディスプレイ１１のフレーム表示能力に等しく、ゆえにディスプレイ１１により表示可能である。本発明の第２実施例のステップと第１実施例は類似し、ゆえに両者の異なるところについて説明を行なう。本発明の表示フレーム拡大の方法は以下のステップを包含する。
ステップＳ１０：  初期化。
ステップＳ１１：  オリジナル画像に対して画像縮小処理を行ない縮小後画像を取得する。本実施例のオリジナル画像はディスプレイ１１の表示能力を超過しうるため、オリジナル画像（例えば６４０ピクセル×４８０ピクセル）をディスプレイ１１（２２０ピクセル×１７６ピクセル）に表示するためには、オリジナル画像に対して縮小処理する必要がある。
ステップＳ１２：  縮小後画像を表示する。ステップＳ１１により、オリジナル画像（６４０ピクセル×４８０ピクセル）を縮小して（２２０ピクセル×１７６ピクセル）とし、ディスプレイ１１に表示できるようにする。
ステップＳ１３：  フレーム拡大モードに切り換えるかを判断する。オリジナル画像はディスプレイ１１の画像より大きいため、オリジナル画像をディスプレイ１１画像（２２０ピクセル×１７６ピクセル）まで縮小する時には画像が小さくなりすぎて認識不能となりうる。ゆえにこの時は重複して第１実施例のステップＳ３の動作を行なう。
ステップＳ１４：  フレーム拡大倍率を選択する。このとき、重複して第１実施例中のステップＳ４の動作を行ない、携帯式電子装置１０の表示フレームに機能メニューを表示する。その選択項目は異なるフレーム拡大倍率に対応する。
ステップＳ１５：  フレーム拡大倍率によりオリジナル画像に対して画像処理を行ない、拡大後画像を発生する。そのうち、拡大後画像のサイズは縮小後画像より大きい。例えば使用者が２．５倍のフレーム拡大倍率を選択すれば、オリジナル画像（例えば６４０ピクセル×４８０ピクセル）は（２２０ピクセル×１７６ピクセル）の縮小後画像としてディスプレイ１１に表示され、ディスプレイ１１の縮小画像に対して行なう画像拡大処理は２．５倍（５５０ピクセル×４４０ピクセル）の画像拡大倍率とされ、それが表示するのはオリジナル画像より小さく、ゆえにここではオリジナル画像を拡大しないが、ディスプレイ１１に表示される縮小画像と較べると、拡大画像に属する。
ステップＳ１６：  表示フレームサイズに対応する拡大後画像を表示し、並びに制御信号により表示フレームの表示する拡大後画像を改変する。ここの関しては、第１実施例中のステップＳ６の動作を行なう。
【００１１】
上述の第１及び第２実施例はオリジナル画像をデジタルイメージとして説明しているが、以上の情況はオリジナル画像がデジタル動態画像及びデジタル文書ファイルとされる時、極めて容易に推察でき、これについては説明を省略する。
【図面の簡単な説明】
【００１２】
【図１】本発明の実施例の携帯式電子装置の表示図である。
【図２】本発明の第１実施例の表示フレーム拡大の方法のフローチャートである。
【図３】本発明の第１実施例の携帯式電子装置の表示図である。
【図４】本発明の第２実施例の表示フレーム拡大の方法のフローチャートである。
【符号の説明】
【００１３】
１０  携帯式電子装置        １１  ディスプレイ
１２  プレイ／一次停止／開閉キー
１３  機能キー
１４１  上移動キー
１４２  下移動キー
１４３  リターンキー／左移動キー
１４４  確認キー／右移動キー
【図１】
2006189746.tif 000003
【図２】
2006189746.tif 000004
【図３】
2006189746.tif 000005
【図４】
2006189746.tif 000006